(57)【特許請求の範囲】
【請求項１】
内部に被包装物を収容するトレー状の包装部体であって、
矩形状の四隅にある角を削り取ることにより形成された八角形の底板と、
前記底板の一方の対向縁の夫々に折目線を介して連設された一対の第１側板と、
前記底板の他方の対向縁の夫々に折目線を介して連設された一対の第２側板と、
各前記第１側板の両側に連設され、前記底板に対する前記第２側板の連設方向と同じ方向に延びる一対の延設板とを備え、
前記延設板を前記底板の外縁の一部に沿って筒状に折り曲げた後に該延設板の折り曲げ方向先端に連接された接着片を前記第１側板の裏面に接着固定することにより、一対の鈍角部と一対の鋭角部とからなる平面視台形状のコーナー柱を、前記底板に対して起立させて形成し、
前記第２側板を、前記底板に対して起立させ、前記コーナー柱に接着固定して形成したことを特徴とする包装部材。
【請求項２】
前記コーナー柱は、一対の鈍角部の間に形成される平坦面が、前記第１側板と前記第２側板とに連なる外面側に向けて配設されていることを特徴とする請求項１記載の包装部材。
【発明の詳細な説明】
【技術分野】
【０００１】
本発明は、内部に被包装物を収容するトレー状の包装部材に関する。
【背景技術】
【０００２】
従来、矩形状の底板の四隅に起立する三角柱状のコーナー柱を備える包装箱が知られている。このものは、底板の一方の対向縁の夫々に折目線を介して連設された一対の側板を底板に対して起立させ、各側板の両側に延設された延設板を三角形の筒状に折り曲げることにより形成される（特許文献１参照）。
【０００３】
このように、包装箱の四隅にコーナー柱を起立させておくことにより、高い座屈強度が得られる。
【先行技術文献】
【特許文献】
【０００４】
【特許文献１】実開平５−１０２２８号公報
【発明の概要】
【発明が解決しようとする課題】
【０００５】
上記特許文献１のような三角柱状のコーナー柱により、座屈強度を更に向上させる場合には、延設板の延設方向の寸法を増加させ、複数重合するように巻回してコーナー柱を形成することが考えられる。
【０００６】
しかし、このように延設板の延設方向の寸法を増加させると、コーナー柱を形成するために材料の使用量が増加し、コストが高くなる不都合がある。
【０００７】
上記の点に鑑み、本発明は、材料の使用量を増加させることなく座屈強度を向上させることができる包装部材を提供することを目的とする。
【課題を解決するための手段】
【０００８】
本発明は、内部に被包装物を収容するトレー状の包装部体であって、矩形状の四隅にある角を削り取ることにより形成された八角形の底板と、前記底板の一方の対向縁の夫々に折目線を介して連設された一対の第１側板と、前記底板の他方の対向縁の夫々に折目線を介して連設された一対の第２側板と、各前記第１側板の両側に連設され、前記底板に対する前記第２側板の連設方向と同じ方向に延びる一対の延設板とを備え、前記延設板を前記底板の外縁の一部に沿って筒状に折り曲げた後に該延設板の折り曲げ方向先端に連接された接着片を前記第１側板の裏面に接着固定することにより、一対の鈍角部と一対の鋭角部とからなる平面視台形状のコーナー柱を、前記底板に対して起立させて形成し、前記第２側板を、前記底板に対して起立させ、前記コーナー柱に接着固定して形成したことを特徴とする。
【０００９】
本発明によれば、コーナー柱を一対の鈍角折り曲げ部と一対の鋭角折り曲げ部とからなる平面視台形状に形成したので、従来の三角柱状のコーナー柱に比べて折り曲げ部が多い分座屈強度が向上する。従って、材料の使用量を増加させることなく座屈強度の高い包装部材を得ることができる。
【００１０】
また、本発明において、前記コーナー柱は、一対の鈍角部の間に形成される平坦面が、前記第１側板と前記第２側板とに連なる外面側に向けて配設されていることを特徴とする。これによれば、被包装物を収容する空間を狭めることなく折り曲げ部を増加させることができ、従来の三角柱状のコーナー柱と同等の収容空間を維持することができる。
【図面の簡単な説明】
【００１１】
【図１】本発明の実施形態の包装部材を示す斜視図。
【図２】本実施形態の包装部材の展開図。
【図３】本実施形態の包装部材の組立て工程の一部を示す説明図。
【図４】（ａ）は本実施形態の包装部材の平面図、（ｂ）本実施形態の包装部材の比較例として挙げた他の包装部材の平面図。
【発明を実施するための形態】
【００１２】
本発明の実施形態の包装部材１は、図１に示すように、一対の第１側板２と、一対の第２側板３とで、上部が開放された大略トレー状に形成され、更に四隅に筒状のコーナー柱４を備えてその内部に図示しない被包装物が収容される。
【００１３】
該包装部材１は、図２に示すように、大略矩形状に打抜いて形成された段ボール板紙５により組立てられる。
【００１４】
該段ボール板紙５は、大略矩形状の底板６と、底板６の一方向（図中左右方向）の対向位置にある両側縁に折目線を介して連設された一対の第１側板２と、底板６の他方向（図中上下方向）の対向位置にある両側縁に折目線を介して連設された一対の第２側板３とを備えている。
【００１５】
各第１側板２には底板６に対する第２側板３の連設方向と同じ方向（図中上下方向）に延びる延設板７が連設されている。
【００１６】
各延設板７は、第１側板２に折目線を介して連設された第１側片８と、第１側片８に折目線を介して連設された第２側片９と、第２側片９に折目線を介して連設された第３側片１０とを備え、更に、第３側片１０に折目線を介して連設された接着片１１を備えている。
【００１７】
本実施形態の包装部材１を段ボール板紙５から組み立てるときには、先ず、図３に示すように、延設板７によりコーナー柱４を形成する。
【００１８】
コーナー柱４を形成するときには、先ず、第１側板２と延設板７の第１側片８との境界にある折目線に沿って、第１側片８を第１側板２に対して内側に向かって鈍角に折り曲げる。更に、第１側片８と第２側片９との境界にある折目線に沿って、第２側片９を第１側片８に対して内側に向かって鈍角に折り曲げる。
【００１９】
これにより、第１側板２と第１側片８との境界には第１の鈍角部１２が形成され、第１側片８と第２側片９との境界には第２の鈍角部１３が形成される。
【００２０】
続いて、第２側片９と第３側片１０との境界にある折目線に沿って、第３側片１０を第２側片９に対して内側に向かって鋭角に折り曲げる。更に、第３側片１０と接着片１１との境界にある折目線に沿って、接着片１１を折り曲げ、第１側板２の内面に接着する。
【００２１】
これにより、第２側片９と第３側片１０との境界には第１の鋭角部１４が形成され、第３側片１０と第１側板２との境界には第２の鋭角部１５が形成されて、コーナー柱４が第１側板２と一体に形成される。
【００２２】
そして、第１側板２と共にコーナー柱４を底板６に対して起立させ、更に、第２側板３を底板６に対して起立させてコーナー柱４を形成している第２側片９の外面に接着することにより、図１に示す形状の包装部材１が組立てられる。
【００２３】
このようにして形成された本実施形態の包装部材１は、図１及び図４（ａ）に示すように、底板６の四隅に略台形状のコーナー柱４が立設されて、高い座屈強度が得られる。
【００２４】
ここで、本実施形態の包装部材１と比較するための比較例を図４（ｂ）に平面視して示す。比較例として挙げた他の包装部材２０は、本実施形態の包装部材１と異なり、三角柱状のコーナー柱２１を備えるものである。
【００２５】
図４（ａ）と図４（ｂ）とを比較して明らかなように、本実施形態の包装部材１における被包装物の収容空間１Ａは、比較例である他の包装部材２０における被包装物の収容空間２０Ａと同じ形状（同じ容積）とされている。
【００２６】
一方、本実施形態の包装部材１は、コーナー柱４が、一対の鈍角部１２，１３の間に形成される平坦面たる第１側片８が、第１側板２と第２側板３とに連なる外面側に向けて配設されている点が他の包装部材２０と異なっている。本発明者は本実施形態の包装部材１と他の包装部材２０とで同一条件による上下方向の圧縮強度を測定した結果、本実施形態の包装部材１は他の包装部材２０に対して強度が約１０％向上することが明らかとなった。
【００２７】
従って、本実施形態の包装部材１によれば、他の包装部材２０と同等の被包装物の収容空間を確保して、材料である段ボール板紙の使用量を増加させることなく座屈強度を向上させることができる
【符号の説明】
【００２８】
１…包装部材、２…第１側板、３…第２側板、４…コーナー柱、６…底板、７…延設板、８…第１側片（平坦面）、１１…接着片、１２，１３…鈍角部、１４，１５…鋭角部。
【図１】
0005600495.tif 000002
【図２】
0005600495.tif 000003
【図３】
0005600495.tif 000004
【図４】
0005600495.tif 000005